(57)【特許請求の範囲】
【請求項１】
２値情報により構成される所定の情報を送信する情報送信手段と、前記情報を伝送する伝送手段と、前記情報を、無線を介して受信する情報受信手段とからなる情報伝送システムにおいて、
前記情報送信手段は、
前記情報を入力する入力手段と、
前記入力手段により入力された前記情報を送信する第１の送信手段と
を備え、
前記情報受信手段は、
前記情報を受信する第１の受信手段と、
前記第１の受信手段により受信された前記情報を出力する出力手段と、
前記無線の電界強度値を検出する検出手段と、
前記検出手段により検出された前記電界強度値に関する情報を、伝送状況情報として、前記無線を介して送信する第２の送信手段と
を備え、
前記伝送手段は、
前記第１の送信手段より送信された前記情報を受信する第２の受信手段と、
前記第２の送信手段より送信された前記伝送状況情報を受信する第３の受信手段と、
前記第３の受信手段により受信された前記伝送状況情報が示す前記無線の電界強度値が対応するクラスを定義し、前記第２の受信手段により受信された前記情報を、前記クラスに対応するメディアに変換するように加工する加工手段と、
前記加工手段により加工された前記情報を送信する第３の送信手段と
を備える
ことを特徴とする情報伝送システム。
【請求項２】
前記加工手段は、前記第３の受信手段により受信された前記伝送状況情報が示す前記無線の電界強度値と、所定の値の第１の閾値、および前記第１の閾値より小さい第２の閾値と比較することにより、前記クラスを定義する
ことを特徴とする請求項１に記載の情報伝送システム。
【請求項３】
前記加工手段は、前記第２の受信手段により受信された前記情報を、前記無線の電界強度値が前記第１の閾値以上である場合前記２値情報のままとし、前記無線の電界強度値が前記第１の閾値より小さく、かつ前記第２の閾値以上である場合テキスト情報に変換し、前記無線の電界強度値が前記第２の閾値より小さい場合音声情報に変換するように加工する
ことを特徴とする請求項２に記載の情報伝送システム。
【請求項４】
前記加工手段は、前記第２の受信手段により受信された前記情報を前記テキスト情報に変換する際に、文字の無い部分はスペースコードを割り当てる
ことを特徴とする請求項３に記載の情報伝送システム。
【請求項５】
前記第１の閾値は「−７５デシベル」であり、前記第２の閾値は「−１００デシベル」である
ことを特徴とする請求項２に記載の情報伝送システム。
【請求項６】
２値情報により構成される所定の情報を送信する情報送信手段と、前記情報を伝送する伝送手段と、前記情報を、無線を介して受信する情報受信手段とからなる情報伝送システムの情報伝送方法において、
前記情報送信手段は、前記情報を入力し、入力された前記情報を送信し、
前記情報受信手段は、前記情報送信手段からの前記情報を受信し、受信した前記情報を出力し、前記無線の電界強度値を検出し、検出した前記電界強度値に関する情報を、伝送状況情報として、前記無線を介して送信し、
前記伝送手段は、前記情報送信手段より送信された前記情報を受信し、前記情報受信手段より送信された前記伝送状況情報を受信し、受信した前記伝送状況情報が示す前記無線の電界強度値が対応するクラスを定義し、受信した前記情報を、前記クラスに対応するメディアに変換するように加工し、前記情報受信手段に送信する
ことを特徴とする情報伝送方法。
【請求項７】
入力した２値情報により構成される所定の情報を、無線を介して受信装置に送信する通信装置において、
前記情報を入力する入力手段と、
前記受信装置より送信された、前記無線の電界強度値に関する情報である伝送状況情報を受信する受信手段と、
前記受信手段により受信された前記伝送状況情報が示す前記無線の電界強度値が対応するクラスを定義し、前記入力手段により入力された前記情報を、前記クラスに対応するメディアに変換するように加工する加工手段と、
前記加工手段により加工された前記情報を送信する送信手段と
を備えることを特徴とする通信装置。
【請求項８】
送信装置から送信されてきた、２値情報により構成される所定の情報を加工し、前記情報を、無線を介して受信装置に供給する通信装置において、
前記送信装置からの情報を受信する第１の受信手段と、
前記受信装置から送信されてきた、前記無線の電界強度値に関する情報である伝送状況情報を受信する第２の受信手段と、
前記第２の受信手段により受信された前記伝送状況情報が示す前記無線の電界強度値が対応するクラスを定義し、前記第１の受信手段により受信された前記情報を、前記クラスに対応するメディアに変換するように加工する加工手段と、
前記加工手段により加工された前記情報を送信する送信手段と
を備えることを特徴とする通信装置。
【発明の詳細な説明】
【０００１】
【発明の属する技術分野】
本発明は、情報伝送システムおよび情報伝送方法並びに通信装置に関し、例えば、互いに遠隔地にある携帯端末とファクシミリ装置間で、ファクシミリ情報を加工することにより、効率的かつ確実にファクシミリ情報を通信することができるようにした情報伝送システムおよび情報伝送方法並びに通信装置に関する。
【０００２】
【従来の技術】
従来より、例えばファクシミリ情報を通信する場合においては、互いに離れた場所に設置されたファクシミリ装置間で、公衆網を介して情報のやりとりが行われている。このとき、公衆網を介して送信されるファクシミリ情報の基本的なメディア形態は、文字や絵あるいは図形などが手書きまたは印刷された所定の用紙である。
【０００３】
また、携帯端末にモデムを取り付け、モデムを介して有線で公衆網と接続し、携帯端末からファクシミリ装置に対して、ファクシミリ情報を送信する方法もある。この場合、携帯端末のディスプレイに表示されているディスプレイ情報がファクシミリ情報のメディア形態となる。
【０００４】
さらに、携帯端末にモデムと無線通信機能を有する装置を取り付け、無線を介して公衆網と接続し、ファクシミリ装置に対してファクシミリ情報を送信する方法もある。
【０００５】
上記いずれの方法においても、文字や絵などの情報を量子化し、各画素に白（値０）または黒（値１）のいずれかを対応させて２値情報とし、それをファクシミリ情報として通信するようにしている。
【０００６】
【発明が解決しようとする課題】
しかしながら、無線等の伝送媒体を介した通信方法において、現在のところ、携帯端末からファクシミリ装置に対してファクシミリ情報を送信することはできるが、ファクシミリ装置から携帯端末に対しては、ファクシミリ情報を送信することができない課題があった。
【０００７】
また、概して無線を介した通信は、通信容量がそれほど大きくなく、大量の情報を伝送するのには適していない。そのため、大量の２値画像より構成された、音声情報に比べて比較的情報量の多いファクシミリ情報を、無線を介して通信する場合、通信に時間がかかる課題があった。特に、無線通信状況が粗悪な場合、それが顕著に現れる。
【０００８】
一方、ファクシミリ情報を携帯端末の例えば液晶パネル等のディスプレイ上において参照する場合、ファクシミリ情報の容量によっては、比較的解像度の低い携帯端末のディスプレイ上にファクシミリ情報を全て表示することができない場合がある課題があった。
【０００９】
本発明はこのような状況に鑑みてなされたものであり、伝送状況や表示能力に対応して、情報を加工することにより、効率的かつ確実に情報の伝送を行うことができるようにするものである。
【００１０】
【課題を解決するための手段】
本発明の情報伝送システムは、２値情報により構成される所定の情報を送信する情報送信手段と、情報を伝送する伝送手段と、情報を、無線を介して受信する情報受信手段とからなり、情報送信手段は、情報を入力する入力手段と、入力手段により入力された情報を送信する第１の送信手段とを備え、情報受信手段は、情報を受信する第１の受信手段と、第１の受信手段により受信された情報を出力する出力手段と、無線の電界強度値を検出する検出手段と、検出手段により検出された電界強度値に関する情報を、伝送状況情報として、無線を介して送信する第２の送信手段とを備え、伝送手段は、第１の送信手段より送信された情報を受信する第２の受信手段と、第２の送信手段より送信された伝送状況情報を受信する第３の受信手段と、第３の受信手段により受信された伝送状況情報が示す無線の電界強度値が対応するクラスを定義し、第２の受信手段により受信された情報を、クラスに対応するメディアに変換するように加工する加工手段と、加工手段により加工された情報を送信する第３の送信手段とを備えることを特徴とする。
【００１１】
前記加工手段は、第３の受信手段により受信された伝送状況情報が示す無線の電界強度値と、所定の値の第１の閾値、および第１の閾値より小さい第２の閾値と比較することにより、クラスを定義するようにすることができる。
【００１２】
前記加工手段は、第２の受信手段により受信された情報を、無線の電界強度値が第１の閾値以上である場合２値情報のままとし、無線の電界強度値が第１の閾値より小さく、かつ第２の閾値以上である場合テキスト情報に変換し、無線の電界強度値が第２の閾値より小さい場合音声情報に変換するように加工するようにすることができる。
【００１３】
前記加工手段は、第２の受信手段により受信された情報をテキスト情報に変換する際に、文字の無い部分はスペースコードを割り当てるようにすることができる。
【００１４】
前記第１の閾値は「−７５デシベル」であり、第２の閾値は「−１００デシベル」であるようにすることができる。
【００１５】
本発明の情報伝送方法は、２値情報により構成される所定の情報を送信する情報送信手段と、情報を伝送する伝送手段と、情報を、無線を介して受信する情報受信手段とからなる情報伝送システムの情報伝送方法であって、情報送信手段は、情報を入力し、入力された情報を送信し、情報受信手段は、情報送信手段からの情報を受信し、受信した情報を出力し、無線の電界強度値を検出し、検出した電界強度値に関する情報を、伝送状況情報として、無線を介して送信し、伝送手段は、情報送信手段より送信された情報を受信し、情報受信手段より送信された伝送状況情報を受信し、受信した伝送状況情報が示す無線の電界強度値が対応するクラスを定義し、受信した情報を、クラスに対応するメディアに変換するように加工し、情報受信手段に送信することを特徴とする。
【００１６】
本発明の通信装置は、入力した２値情報により構成される所定の情報を、無線を介して受信装置に送信する通信装置であって、情報を入力する入力手段と、受信装置より送信された、無線の電界強度値に関する情報である伝送状況情報を受信する受信手段と、受信手段により受信された伝送状況情報が示す無線の電界強度値が対応するクラスを定義し、入力手段により入力された情報を、クラスに対応するメディアに変換するように加工する加工手段と、加工手段により加工された情報を送信する送信手段とを備えることを特徴とする。
【００１７】
本発明の通信装置は、送信装置から送信されてきた、２値情報により構成される所定の情報を加工し、情報を、無線を介して受信装置に供給する通信装置であって、送信装置からの情報を受信する第１の受信手段と、受信装置から送信されてきた、無線の電界強度値に関する情報である伝送状況情報を受信する第２の受信手段と、第２の受信手段により受信された伝送状況情報が示す無線の電界強度値が対応するクラスを定義し、第１の受信手段により受信された情報を、クラスに対応するメディアに変換するように加工する加工手段と、加工手段により加工された情報を送信する送信手段とを備えることを特徴とする。
【００１８】
本発明の情報伝送システムにおいては、情報送信手段は、入力手段により入力された情報を第１の送信手段が送信し、情報受信手段は、出力手段が、第１の受信手段により受信された情報を出力し、無線の電界強度値を検出し、第２の送信手段が、検出した電界強度値に関する情報を、伝送状況情報として、無線を介して送信し、伝送手段は、第２の受信手段が、第１の送信手段より送信された情報を受信し、第３の受信手段が、第２の送信手段より送信された伝送状況情報を受信し、加工手段が、第３の受信手段により受信された伝送状況情報が示す無線の電界強度値が対応するクラスを定義し、第２の受信手段により受信された情報を、クラスに対応するメディアに変換するように加工し、第３の送信手段が、加工手段により加工された情報を送信する。
【００１９】
本発明の情報伝送方法においては、情報送信手段は、情報を入力し、入力された情報を送信し、情報受信手段は、情報送信手段からの情報を受信し、受信した情報を出力し、無線の電界強度値を検出し、検出した電界強度値に関する情報を、伝送状況情報として、無線を介して送信し、伝送手段は、情報送信手段より送信された情報を受信し、情報受信手段より送信された伝送状況情報を受信し、受信した伝送状況情報が示す無線の電界強度値が対応するクラスを定義し、受信した情報を、クラスに対応するメディアに変換するように加工し、情報受信手段に送信する。
【００２０】
本発明の通信装置においては、情報が入力され、受信装置より送信された、無線の電界強度値に関する情報である伝送状況情報が受信され、その受信された伝送状況情報が示す無線の電界強度値が対応するクラスが定義され、入力手段により入力された情報が、クラスに対応するメディアに変換するように加工され、その加工された情報が送信される。
【００２１】
本発明の通信装置においては、送信装置からの情報が受信され、受信装置から送信されてきた、無線の電界強度値に関する情報である伝送状況情報が受信され、その受信された伝送状況情報が示す無線の電界強度値が対応するクラスが定義され、受信された情報が、クラスに対応するメディアに変換するように加工され、その加工された情報が送信される。
【００３８】
【発明の実施の形態】
図１は、本発明を適用したパーソナル通信システムの構成例を示している。携帯端末１は、ファクシミリ情報を受信し、例えば内蔵する液晶パネルに表示させたり、液晶パネルに表示させた情報をファクシミリ情報として送信するようになされている。また、液晶パネルの大きさや解像度に対応したパラメータ情報を送信するようになされている。基地局２は、携帯端末１に対して後述するネットワーク３を介して提供されたファクシミリ情報を送信したり、携帯端末１より送信されたファクシミリ情報を受信し、ネットワーク３に供給するようになされている。
【００３９】
ネットワーク３は、基地局２、後述するファクシミリ装置４、および伝送システム５の間で、ファクシミリ情報の伝送を行うようになされている。ファクシミリ装置４は、所定の用紙に手書きまたは印刷された文字や絵などの情報を２値情報に変換し、符号化することによって情報量を少なくして送信するようになされている。
【００４０】
伝送システム５は、ファクシミリ装置４より、ネットワーク３を介して供給されたファクシミリ情報を、携帯端末１より基地局２およびネットワーク３を介して供給された所定のパラメータに基づいて加工した後、携帯端末１に送信するようになされている。
【００４１】
ここでは、基地局２およびネットワーク３は、例えば、デジタル自動車電話システム（ＰＤＣ：Personal Digital Cellular）、あるいは第２世代コードレス電話システム（ＰＨＳ：Personal Handyphone System）等の無線通信システムを適用しているものとする。
【００４２】
図２は、図１に示した携帯端末１の構成例を示すブロック図である。通信機能部１１は、基地局２との間の回線接続を行うようになされており、回線接続を制御する回線接続制御部１２、無線とのインタフェースを制御する無線インタフェース部１３、および情報の伝送状況を測定し、対応する所定のパラメータ情報を出力する伝送状況測定部１４より構成されている。伝送状況を表すパラメータ情報は、例えば送受信される電波の電界強度やビット誤り率等に基づいて決定される。ここで、ビット誤り率とは、所定の既知の１６０ビットのビット列を基地局２と携帯端末１の間で送受信し、ビット誤りが発生した割合を求めることにより得られる値である。
【００４３】
通信手段部１５は、通信機能部１１による回線接続後、ファクシミリ情報などの情報通信を行うようになされている。ユーザインタフェース部１７は、例えば、出力機構として液晶パネル、スピーカ等を備え、入力機構として、キーボード、キーボタン、タッチパネルなどを備え、音声やテキスト、あるいは画像等を用いて、ユーザとのインタフェースを行うようになされている。メモリ１６は、予め登録された、液晶パネルの表示能力、例えば表示サイズや解像度等に対応するパラメータ情報を保持するようになされている。
【００４４】
ＰＨＳにおいては、無線アクセス方式として、ＴＤＭＡ（Time Division Multiple Access）方式、伝送方式としてＴＤＤ（Time Division Duplex）方式が採用されている。これは、同一の周波数で送信情報と受信情報を交互に通信するとともに、時分割多重伝送するものである。即ち、基地局から端末への下り回線に４スロット、端末から基地局への上り回線に４スロットの合計８スロットを１つのフレームとして周期的に送受信を行うものである。
【００４５】
図３は、ＰＨＳにおけるスロット構成を示したものである。８つのスロットのうち、上り、下りそれぞれ１スロットは、制御用物理スロットとして使用され、残りのスロットは通信用物理スロットとして使用される。各スロット（周期は６２５μｓ（マイクロ秒））は２４０ビットで構成され、１フレーム周期は５ｍｓ（ミリ秒）である。
【００４６】
図４は、制御用物理スロットの構成を示している。４ビットの過渡応答用ランプタイム（Ｒ）は、各スロットの立ち上がりと立ち下がりの過渡状態を滑らかにするための時間であり、２ビットのスタートシンボル（ＳＳ）は、各スロットの始まりを示している。６２ビットのプリアンブル（ＰＲ）は、受信信号からクロックを再生し、ビット同期を確立するための信号である。制御用物理スロットでは、１スロット毎にビット同期を確立する必要があるため、６２ビットをプリアンブル信号としている。
【００４７】
３２ビットのユニークワード（ＵＷ）は、各スロットのフレーム同期のための信号であり、制御用物理スロットと、図５を参照して後述する通信用物理スロットを区別するため、異なるパターンとされる。次に、１０８ビットの制御信号（ＣＡＣ）があり、次に、１６ビットの巡回符号（ＣＲＣ）が挿入される。このＣＲＣは、ＣＡＣからＣＲＣまでのビット列の誤り検出に用いられる。最後の１６ビットのガードビット（ＧＴ）は、伝搬遅延時間差やクロックジッタ等によるバースト信号の衝突を避けるためのものである。
【００４８】
この制御用物理スロットは、待ち受け時や起動時に使用される。
【００４９】
図５は、通信用物理スロットの構成例を示している。通信用物理スロットの場合、制御用物理スロットの場合とは異なり、同期バーストにより初期引き込みを行っているため、６ビットのプリアンブル信号としている。ＵＷは１６ビットで構成され、上述したように、制御用物理スロットと区別するため異なるパターンのデータとされる。情報フィールド（Ｉ）は１８０ビットとされ、そのうちの４ビットがチャネル識別子（ＣＩ）として使用され、さらに１６ビットが低速付随制御チャネル（ＳＡＣＣＨ）として使用されるため、実効的な情報長としては、１６０ビットとなる。１６ビットのＣＲＣは、情報フィールド（Ｉ）とＣＲＣのビット列の誤りを検出するようになされている。上述したように、ビット誤り率はこの１６０ビットの情報に基づいて計算される。その他の構成は、図４に示した制御用物理スロットの場合と同様であるのでその説明は省略する。この通信用物理スロットは通信時に使用される。
【００５０】
図６は、伝送システム５の構成例を示すブロック図である。通信機能部２１は、図２の携帯端末１における通信機能部１１と基本的に同様の構成をなしており、ネットワーク３との間の回線接続を制御するようになされている。通信手段部２２は、回線接続後、情報通信を制御するようになされている。情報加工機能部２３は、ファクシミリ装置４よりネットワーク３を介して供給されたファクシミリ情報を図９を参照して後述するようにして加工するようになされている。
【００５１】
図７は、ファクシミリ装置４の構成例を示すブロック図である。通信機能部３１は、図２の携帯端末１における通信機能部１１と基本的に同様の構成をなしており、ネットワーク３との間の回線接続を行うようになされている。通信手段部３２は、回線接続後、情報通信を制御するようになされている。入力部３３は、例えばＡ４用紙等に手書きまたは印刷された文字や絵などを入力するようになされている。出力部３４は、ネットワーク３を介して受信した信号に対応する文字や絵などを所定の用紙に出力するようになされている。
【００５２】
次に、図８を参照して、図１に示したパーソナル通信システムの動作について説明する。ここでは、ファクシミリ装置４から、携帯端末１にファクシミリ情報を送信する場合の動作について説明する。
【００５３】
最初、ステップＳ１において、ファクシミリ装置４は、ネットワーク３、伝送システム５、および基地局２を介して、携帯端末１にアクセスを行う。これにより、ファクシミリ装置４と携帯端末１との間の回線が接続され、通信路が確保される。通信路が確保された後、ステップＳ２において、ファクシミリ装置４は、伝送システム５にファクシミリ情報を送信する。
【００５４】
次に、ステップＳ３に進み、携帯端末１は、伝送状況測定部１４において検知された携帯端末１と基地局２との間の無線の通信状況に対応するパラメータ情報と、メモリ１６より読み出された携帯端末１の表示能力を表すパラメータ情報を、基地局２およびネットワーク３を介して伝送システム５に送信する。
【００５５】
ステップＳ４において、伝送システム５は、ファクシミリ装置４より送信されたファクシミリ情報を受信するとともに、携帯端末１より送信された上記パラメータ情報を受信し、このパラメータ情報に基づいて、受信されたファクシミリ情報に対して、情報量の削減を目的とした所定の加工操作を施す。
【００５６】
上記加工操作として、例えば、次のような３つの操作を行うことができる。
【００５７】
第１の操作は、携帯端末１の表示能力のなかで、特に表示サイズに関して制限がある場合、表示サイズを縮小する操作である。例えば、２値の情報として送信されたファクシミリ情報を間引く操作を行う。
【００５８】
第２の操作は、送信されたファクシミリ情報が活字文字情報である場合、ＯＣＲ（Optical Character Reader）等を用いた手法により、活字文字情報を認識し、２値の情報として表された文字群を、フォントの情報、例えばアスキーコード等の情報に変換する操作である。
【００５９】
第３の操作は、文字情報および絵の情報が混在する２値のファクシミリ情報を送信する場合において、特に、無線通信状況が悪く、情報量を極力削減したいとき、絵の情報を破棄し、上述した第２の操作によって文字情報だけをフォントの情報（例えば、アスキーコード）に変換する操作である。
【００６０】
図９は、伝送システム５の情報加工機能部２３において行われるファクシミリ情報の加工操作の詳細を説明するためのフローチャートである。
【００６１】
最初にステップＳ１１において、ファクシミリ装置４よりネットワーク３を介して送信されてきた元情報（２値情報）と、携帯端末１の伝送状況測定部１４によって測定された現在の伝送状況情報（通信状況を表す情報）が入力され、それに基づいて、元情報に対して所定の加工操作が行われる。
【００６２】
ステップＳ１１において行われる加工操作は、図９に示したように、伝送状況情報、例えば上述した電界強度値に対応して、クラスＡ，クラスＢ、およびクラスＣを定義し、各クラスに対応したメディア（この場合、２値情報、テキスト情報、および音声情報）に変換するものである。
【００６３】
例えば、電界強度値が−７５ｄＢ（デシベル）以上のとき、２値情報のまま送信し、電界強度値が−７５ｄＢ（デシベル）より小さく、かつ−１００ｄＢ以上のとき、２値情報をＯＣＲ等を用いる活字文字認識方法により認識し、２値の情報として表された文字群を例えばアスキーコード等のフォントの情報（テキスト情報）に変換する。このとき、文字の無い部分はスペースコードを割り当て、文字の表示位置が再現できるようにすることができる。
【００６４】
また、元情報が、文字情報と絵の情報の混在したものである場合において、無線通信状況が悪く、情報量を極力削減したいとき、絵の情報を破棄し、文字情報だけを上述した方法でテキスト情報に変換するようにすることができる。
【００６５】
また、電界強度値が−１００ｄＢ（デシベル）より小さいとき、テキスト情報をさらに音声情報に変換する。音声情報は、伝送中に多少のビット誤りがあった場合でも理解することができるという特徴がある。このようにして、元情報を伝送状況に対応したメディアに変換することができる。
【００６６】
ステップＳ１１における情報加工処理が終了すると、次にステップＳ１２に進む。ステップＳ１２においては、ステップＳ１１において加工された情報が、携帯端末１より送信されてきた携帯端末１の表示能力を示す表示能力情報に基づいて加工される。
【００６７】
即ち、携帯端末１の表示能力の中で特に表示サイズに関して制限がある場合、表示サイズが縮小される。例えば、ユーザインタフェース部１７を構成する液晶パネルの画面の大きさが比較的小さい場合、２値の情報として送られてきたファクシミリ情報を間引くことにより、表示サイズを縮小する。逆に、携帯端末１の液晶パネルの画面の大きさが比較的大きい場合には、補間処理を行うなどして表示サイズを拡大することもできる。
【００６８】
以上のような操作によって、ファクシミリ情報の加工操作が終了した後、図８のステップＳ５に進み、加工が施されたファクシミリ情報をネットワーク３および基地局２を介して携帯端末１に送信する。
【００６９】
携帯端末１が、伝送システム５からの加工されたファクシミリ情報を受信し、ファクシミリ情報の通信が終了すると、ステップＳ６において、ファクシミリ装置４と携帯端末１との間の回線の切断処理が行われ、一連のファクシミリ情報伝送操作が完了する。
【００７０】
このようにして、ファクシミリ装置４から携帯端末１に、無線通信状況や携帯端末１の表示能力に応じたファクシミリ情報の送信を行うことができる。
【００７１】
図１０は、図８に示した場合とは逆に、携帯端末１からファクシミリ装置４にファクシミリ情報を送信する場合の操作手順を示している。最初に、ステップＳ２１において、携帯端末１の通信機能部１１はファクシミリ装置４との間の回線接続処理を行う。回線接続処理が終了すると、携帯端末１から、通信手段部１５の制御により、２値のファクシミリ情報がファクシミリ装置４に送信される。このとき、一般的に携帯端末の表示サイズは小さいので、２値のファクシミリ情報は、ネットワーク３を介してそのままファクシミリ装置４に伝送される。
【００７２】
また、図１１に示したように、携帯端末１から、フォント情報（テキスト情報）により与えられる文字情報を、ファクシミリ装置４に向けてネットワーク３を介して送信するようにすることができる。この場合、このフォント情報は、伝送システム５に入力され、フォント情報に対応する２値の情報に変換される。そして、変換された２値の情報がネットワーク３を介してファクシミリ装置４に伝送される。ファクシミリ装置４は、通信手段部３２を介して受信した２値の情報に対応する文字を、出力部３４の制御により所定の用紙に印字する。
【００７３】
図１に示したパーソナル通信システムにおいては、伝送システム５がファクシミリ装置４より送られてきたファクシミリ情報を加工するようにしたが、ファクシミリ装置４がファクシミリ情報を加工するようにすることも可能である。図１２は、情報を加工する機能を有するファクシミリ装置４の他の構成例を示すブロック図である。
【００７４】
図１２に示したファクシミリ装置４においては、情報を加工する機能を有する情報加工機能部４１が設けられている。この情報加工機能部４１は、携帯端末１と基地局２との間の伝送状況や携帯端末１の表示能力に基づいて、入力部３３より入力されたファクシミリ情報を、図９を参照して上述した場合と同様にして加工する。加工されたファクシミリ情報は、通信手段部３２の制御により、ネットワーク３、基地局２を介して携帯端末１に送信される。
【００７５】
図１３は、本発明を適用したパーソナル通信システムの他の構成例を示している。このパーソナル通信システムにおいては、図１に示したパーソナル通信システムにおいて、ファクシミリ装置４を携帯端末５１と基地局５２で置き換えるようにしている。
【００７６】
携帯端末５１の構成は、図２を参照して上述した場合と基本的に同様の構成をなしており、ファクシミリ情報を基地局５２、ネットワーク３、伝送システム５、および基地局２を介して携帯端末１に伝送することができるようになされている。その他の構成は、図１を参照して上述した場合と基本的に同様であるので、その説明は省略する。
【００７７】
次に、図１４を参照してその動作について説明する。最初、ステップＳ４１において、携帯端末１と携帯端末５１の間の回線接続処理が行われる。回線が接続されると、次にステップＳ４２において、携帯端末５１は、ファクシミリ情報を基地局５２およびネットワーク３を介して携帯端末１に向けて送信する。
【００７８】
次に、ステップＳ４３に進み、携帯端末１は、上述した携帯端末１の例えば液晶パネル等の表示サイズや解像度等のパラメータ情報を、基地局２およびネットワーク３を介して伝送システム５に通知する。同様に、携帯端末５１は、携帯端末５１の液晶パネルの表示サイズや解像度等のパラメータ情報を、基地局５２およびネットワーク３を介して伝送システム５に通知する。
【００７９】
次に、ステップＳ４４において、伝送システム５は、図９を参照して上述した場合と基本的に同様にして、携帯端末５１より伝送されてきたファクシミリ情報の加工処理を行う。例えば、ステップＳ１１においては、携帯端末１と基地局２との間の伝送状況（例えば、電界強度値で表される無線の通信状況）に基づいて、上述したようにして、元情報の加工が行われる。また、ステップＳ１２においては、携帯端末１の表示能力に基づいて、元情報の加工が行われる。
【００８０】
伝送システム５における元情報の加工処理が終了すると、加工された情報が、ネットワーク３、基地局２を介して携帯端末１に送信される。携帯端末１が携帯端末５１からのファクシミリ情報を受信すると、携帯端末１と携帯端末５１の間の回線が切断され、一連のファクシミリ情報伝送操作が完了する。
【００８１】
一方、携帯端末１から携帯端末５１にファクシミリ情報を送信する場合の動作も、基本的には、図１４を参照して上述した場合と同様であるが、伝送システム５における元情報の加工処理において、携帯端末５１から通知されたパラメータ情報、即ち、携帯端末５１と基地局５２との間の伝送状況（通信状況）と、携帯端末５１の表示能力の少なくともいずれか一方に基づいた加工処理が施される。
【００８２】
このように、伝送システム５は、携帯端末１のパラメータ情報と携帯端末５１のパラメータ情報の双方を参照することにより、情報の加工処理を行い、ファクシミリ情報を携帯端末１から携帯端末５１へ、または携帯端末５１から携帯端末１へ伝送する。
【００８３】
なお、上記実施例においては、伝送システム５またはファクシミリ装置４が情報を加工するようにしたが、基地局２や基地局５２が情報を加工するようにすることも可能である。また、携帯端末１や携帯端末５１に情報を加工する機能を持たせるようにすることもできる。
【００８４】
【発明の効果】
本発明の情報伝送システムによれば、伝送手段は、情報送信手段からの情報を、無線の電界強度値に応じた情報に加工し、情報受信手段に供給することができ、情報をより効率的に、かつ確実に供給することが可能となる。
【００８５】
本発明の情報伝送方法によれば、伝送手段は、情報送信手段からの情報を、無線の電界強度値に応じた情報に加工し、情報受信手段に供給することができ、情報をより効率的に、かつ確実に供給することが可能となる。
【００８６】
本発明の通信装置によれば、情報をより効率的に、かつ確実に送信先に供給したり、伝送したりすることが可能となる。
【図面の簡単な説明】
【図１】本発明を適用したパーソナル通信システムの構成例を示す図である。
【図２】携帯端末１の構成例を示すブロック図である。
【図３】ＰＨＳのスロット構成を示す図である。
【図４】制御用物理スロットの構成を示す図である。
【図５】通信用制御スロットの構成を示す図である。
【図６】伝送システム５の構成例を示すブロック図である。
【図７】ファクシミリ装置４の構成例を示すブロック図である。
【図８】ファクシミリ装置４から携帯端末１にファクシミリ情報を送信する手順を説明するための図である。
【図９】情報を加工する手順を説明するための図である。
【図１０】携帯端末１からファクシミリ装置４にファクシミリ情報を送信する手順を説明するための図である。
【図１１】携帯端末１からファクシミリ装置４にファクシミリ情報を送信する他の手順を説明するための図である。
【図１２】ファクシミリ装置４の他の構成例を示すブロック図である。
【図１３】本発明を適用したパーソナル通信システムの他の構成例を示す図である。
【図１４】図１３のパーソナル通信システムにおいて、携帯端末間でファクシミリ情報を通信する手順を説明するための図である。
【符号の説明】
１  携帯端末，２  基地局，３  ネットワーク，４  ファクシミリ装置，５  伝送システム，１１，２１，３１ 通信機能部，１２  回線接続制御部，１３  無線インタフェース部，１４  伝送状況測定部，１５  通信手段部，１６  メモリ，１７  ユーザインタフェース部，２２，３２  通信手段部，２３  情報加工機能部，３３  入力部，３４  出力部，４１  情報加工機能部，５１  携帯端末，５２  基地局
【図１】
0003690542.tif 000002
【図２】
0003690542.tif 000003
【図３】
0003690542.tif 000004
【図４】
0003690542.tif 000005
【図５】
0003690542.tif 000006
【図６】
0003690542.tif 000007
【図７】
0003690542.tif 000008
【図８】
0003690542.tif 000009
【図９】
0003690542.tif 000010
【図１０】
0003690542.tif 000011
【図１１】
0003690542.tif 000012
【図１２】
0003690542.tif 000013
【図１３】
0003690542.tif 000014
【図１４】
0003690542.tif 000015